(57)【要約】【課題】水田に必要な水位を効率よく調整でき、優れた排水効率を有する水田用水位調整枡を提供する。【解決手段】水田用水位調整枡１０の全体を箱体で構成し、その箱体の一側面１１には、水田から灌漑用水を取り入れる取り入れ口１を設け、その箱体の一側面１１に対向する側面１２には、箱体の内部から灌漑用水を排水する排水口２を設け、その箱体の内部には、取り入れ口１を含む取り入れ室１Ａと排水口２を含む排水室２Ａとを仕切る水位調製板６を設ける。そして、取り入れ口１を、網状部材４２が取り付けられた開口部４１を有する堰板４によって開閉自在とするとともに、水位調整板４の高さを調整自在とする。【選択図】図１
0003125654.tif 000002
【実用新案登録請求の範囲】
【請求項１】
全体が箱体で構成され、その箱体の一側面には、水田から灌漑用水を取り入れる取り入れ口が設けられ、その箱体の底面又は他の側面には、前記箱体の内部から灌漑用水を排水する排水口が設けられ、その箱体の内部には、前記取り入れ口を含む取り入れ室と前記排水口を含む排水室とを仕切る水位調製板が設けられているとともに、
前記取り入れ口は、開口部を有する堰板によって開閉自在となっているとともに、
前記水位調整板は、その高さが調整自在となっていることを特徴とする水田用水位調整枡。
【請求項２】
前記開口部には、網状部材が取り付けられていることを特徴とする請求項１に記載の水田用水位調整枡。
【請求項３】
前記排水口は、前記箱体の他の側面であって、前記箱体の底面よりも高い位置に設けられていることを特徴とする請求項１又は２に記載の水田用水位調整枡。
【請求項４】
前記排水口は、前記取り入れ口が設けられた側面の対向する側面に設けられていることを特徴とする請求項１から3のいずれか一項に記載の水田用水位調整枡。
【考案の詳細な説明】
【技術分野】
【０００１】
本考案は、水田の水位を調整するための水位調整枡に関するものである。
【背景技術】
【０００２】
通常、水田では、河川等から取り入れた灌漑用水のうち、過剰な灌漑用水を排水することで、必要な水位となるように調整されている。
【０００３】
このように水田の水位を調整するための技術として、特許文献１では、水田に必要な水位を確保するための水位調整板を箱体の一側面に開閉自在に設け、水田に不要な水を隣接水田に排水するための排水具を、上述した一側面の対向面となる箱体の側面に設けた水位調整排水具が提案されている。
【０００４】
この特許文献１に記載の水位調整排水具では、水位調整板の開閉度を調整して、水位調整排水具の内部に取り入れる灌漑用水の流量を制御することで、水田の水位を調整するように構成されている。
【０００５】
ところが、この特許文献１に記載の水位調整排水具では、その内部に取り入れられた灌漑用水がそのまま排水具に排水される構成となっているため、灌漑用水に含まれる塵等の浮遊物や土壌成分等の沈殿物が排水具の内部で堆積して、排水効率が低下しやすいという不具合があった。
【０００６】
そこで、このような不具合を解消するために、特許文献２では、排水枡をなす箱体の一側面に、水田から灌漑用水を取り入れるための落水ゲートと、落水ゲートの開閉度を調整可能な堰板とを設けるとともに、排水枡をなす箱体内部の、落水ゲートよりもやや下方の位置に、灌漑用水に含まれる塵等の浮遊物を除去する除塵体を設け、さらに、排水枡をなす箱体の底面に排水口を設け、この排水口に落水ゲートよりもやや低い高さの越流筒を箱体の内部側に突出するように設けることが提案されている。
【０００７】
この特許文献２に記載の排水枡では、堰板により落水ゲートの開閉度を調整して、排水枡の内部に取り入れる灌漑用水の流量を制御することで、水田の水位を調整するように構成されている。
【０００８】
また、この特許文献２に記載の排水枡では、落水ゲートから取り入れられた灌漑用水が、除塵体を通過した後、越流筒の高さまで排水枡内に溜まり、越流筒の高さよりも水位が上がると、越流筒の上部開口面から排水されるように構成されている。よって、灌漑用水に含まれる塵等の浮遊物は、除塵体を通過する際に除去され、灌漑用水に含まれる土壌成分等の沈殿物は、灌漑用水が越流筒の高さまで溜まるまでの間に排水枡の底面に沈殿されるため、浮遊物や沈殿物を含まない状態で灌漑用水を排水できるようになっている。
【特許文献１】特開２００５−２４５４２６号公報
【特許文献２】特開平１１−９１２２号公報
【考案の開示】
【考案が解決しようとする課題】
【０００９】
しかしながら、上述した特許文献２に記載の排水枡においては、排水枡の内部に取り入れ、排水口から排水する灌漑用水の流量を、落水ゲートに設けられた堰板の開閉度だけで制御しているため、水田に必要な水位を効率よく調整し、排水効率を向上させるという点でさらなる改善の余地があった。
【００１０】
また、上述した特許文献２に記載の排水枡においては、落水ゲートから排水枡の内部に取り入れた灌漑用水が越流筒の高さまで溜まる間に、灌漑用水に含まれる土壌成分を沈殿物として排水枡の底面に沈殿させるように構成されているため、排水口の近傍で沈殿した沈殿物が灌漑用水とともに排水されてしまう場合がある。
【００１１】
さらに、上述した特許文献２に記載の排水枡においては、落水ゲートから取り入れられる灌漑用水の流量が多いと、土壌成分が完全に沈殿しないうちに越流筒の上部開口面まで灌漑用水が溜まりやすいため、灌漑用水が土壌成分を含んだ状態で越流筒から排水されてしまう場合がある。
すなわち、上述した特許文献２に記載の排水枡においても、灌漑用水に含まれる土壌成分の排水管内部への堆積を完全に防止することはできないため、排水効率を向上させるという点でさらなる改善の余地があった。
【００１２】
そこで、本考案は、上記事情に鑑みてなされたものであり、水田に必要な水位を効率よく調整でき、優れた排水効率を有する水田用水位調整枡を提供することを課題としている。
【課題を解決するための手段】
【００１３】
このような課題を解決するために、本考案に係る水田用水位調整枡は、全体が箱体で構成され、その箱体の一側面には、水田から灌漑用水を取り入れる取り入れ口が設けられ、その箱体の底面又は他の側面には、灌漑用水を排水する排水口が設けられ、その箱体の内部には、前記取り入れ口を含む取り入れ室と前記排水口を含む排水室とを仕切る水位調製板が設けられているとともに、前記取り入れ口は、開口部を有する堰板によって開閉自在となっているとともに、前記水位調整板は、その高さが調整自在となっていることを特徴としている。
【００１４】
すなわち、本考案に係る水田水位調整枡は、取り入れ口に開口部が位置するように堰板を移動させて、取り入れ口を開放することで灌漑用水が取り入れられるとともに、取り入れられた灌漑用水は、まず、取り入れ室の内部に溜まり、灌漑用水が取り入れ室の内部で水位調整板の高さ以上に溜まると、灌漑用水が水位調整板を乗り越えて排水室に流出し、その後、排水口から灌漑用水が排水されるように構成されている。
【００１５】
本考案に係る水田用水位調整枡によれば、水田から取り入れ、排水口から排水する灌漑用水の流量を、取り入れ口に設けられた堰板と、取り入れ室及び排水室を仕切る水位調整板との二箇所で制御することができるため、水田に必要な水位を効率よく調整することが可能となる。
【００１６】
また、本考案に係る水田用水位調整枡によれば、箱体の一側面に設けられた取り入れ口が、水田の深さ方向下方に位置するように設置することにより、塵等の浮遊物がほとんど存在しない深部の灌漑用水を取り入れることが可能となる。
【００１７】
さらに、本考案に係る水田用水位調整枡によれば、取り入れ口を含む取り入れ室と排水口を含む排水室との間を仕切る水位調整板を設けたことにより、取り入れ室の内部に溜められた灌漑用水が、水位調整板の高さ以上に溜まり、水位調整板を乗り越えて排水室に流入するまでの間に、灌漑用水に含まれる土壌成分を沈殿物として除去することができる。よって、本考案に係る水田用水位調整枡によれば、取り入れられる灌漑用水の流量が多い場合であっても、土壌成分が確実に除去された灌漑用水を排水することが可能となるため、上述した特許文献２に記載の排水枡と比べて、優れた排水効率を得ることができる。
【００１８】
また、本考案に係る水田用水位調整枡によれば、水位調整板の高さを調整自在としたことにより、この水位調整板の高さを、取り入れ口から取り入れ、排水口から排出する灌漑用水の流量に合わせて調整することで、灌漑用水に含まれる土壌成分を効率よく沈殿させ、灌漑用水を効率よく排水することができる。
【００１９】
ここで、本考案に係る水田用水位調整枡において、開口部には、網状部材が取り付けられた構成としてもよい。
この構成によれば、灌漑用水が開口部を通過する際に、灌漑用水に含まれる塵等の浮遊物を除去することができるため、箱体の一側面における取り入れ口の設置位置に係らず、水田用水位調整枡の内部に塵等の浮遊物が存在しない灌漑用水を取り入れることが可能となる。
【００２０】
また、本考案に係る水田用水位調整枡において、排水口の位置は、水田用水位調整枡をなす箱体の側面でも底面でもよいが、取り入れ口から取り入れられた灌漑用水の排水効率をより向上させるために、取り入れ口が設けられた側面の対向する側面に設けることが好ましい。
【００２１】
さらに、本考案に係る水田用水位調整枡において、排水口の位置は、水田用水位調整枡をなす箱体の側面であって、箱体の底面よりも高い位置に設けることが好ましい。
この構成にすれば、灌漑用水が排水室の内部で排水口の高さに至るまで溜まる間にも、灌漑用水に含まれる土壌成分が沈殿して、沈殿物として除去され、さらに、排水室に沈殿した沈殿物が排水口から排水されにくくなるため、灌漑用水に含まれる沈殿物をさらに効率よく除去することができる。
【００２２】
なお、本考案に係る水田用水位調整枡において、堰板の設置場所は、水田用水位調整枡をなす箱体の外側でも内側でもよいが、開口部に取り付けられた網状部材で灌漑用水に含まれる浮遊物を確実に除去するためには、水田用水位調整枡をなす箱体の外側に設けることが好ましい。
【００２３】
さらに、本考案に係る水田用水位調整枡において、水位調整板の高さを調整する手段は、特に限定されないが、以下に示す手段が挙げられる。
例えば、水田用水位調整枡をなす箱体の内部に水位調整板の底面及び側面を支持する箱状の支持部材を備え、この支持部材をなす箱の内部で水田用水位調整枡の底面の位置を上下方向に移動させることで高さを調整するようにしてもよい。
また、水田用水位調整枡をなす箱体の内部に、水位調整板の少なくとも側面を支持する支持部材を備えるとともに、高さの異なる複数の水位調整板を用意して、必要に応じて、所定高さの水位調整板を支持部材に差し替えることで高さを調整するようにしてもよい。
【考案の効果】
【００２４】
本考案に係る水田用水位調整枡によれば、水田に必要な水位を効率よく調整できるとともに、優れた排水効率を得ることができる。
【考案を実施するための最良の形態】
【００２５】
以下、本考案に係る実施形態について図面を参照しながら説明する。
【００２６】
図１は、本考案に係る水田用水位調整枡の一構成例を示す斜視図である。図２は、図1に示す水田用水位調整枡における堰板の動作例を示す一部拡大断面図である。図３は、図１に示す水田用水位調整枡における水位調整板の動作例を示す一部拡大断面図である。
【００２７】
この水田用水位調整枡１０は、図1に示すように、上部が開口した略矩形体状の箱体で構成され、この箱体の一側面１１には、水田から灌漑用水を取り入れる略矩形状の取り入れ口１が設けられ、この取り入れ口１が設けられた箱体の一側面１１に対向する側面１２には、箱体の内部から灌漑用水を排水する排水口２が設けられ、この排水口２は箱体の外部に配置された排水管３に連結されている。
【００２８】
また、水田用水位調整枡１０をなす箱体の一側面１１の外側には、箱体の一側面１１に沿って上下方向に移動可能となるように、堰板４が設けられている。
【００２９】
堰板４は、略矩形状の平板で構成され、その一部には略矩形状の開口部４１が設けられ、この開口部４１には網状部材４２が取り付けられている。また、堰板４の一端部には、堰板４を上下方向に移動する際に用いる把持部４３が固定されている。
【００３０】
水田用水位調整枡１０をなす箱体の一側面１１の外側には、その高さ方向外縁部に側面視略コ字状で、堰板４の厚みと略同一寸法の挟持部を有するガイドレール５が設けられている。そして、堰板４は、その両側面が、ガイドレール５で挟まれた状態で支持されている。
【００３１】
ここで、この堰板４を、図２（ａ）に示すように、その網状部材４２が取り付けられた開口部４１を取り入れ口１と重なるように設置することで、取り入れ口１が開いて、取り入れ口１から水田用水位調整枡１０の内部に灌漑用水を流入させることができ、一方、図２（ｂ）に示すように、開口部４１以外の部分を取り入れ口１と重なるように堰板４を設置することで、取り入れ口１が塞がれて、水田用水位調整枡１０の内部に灌漑用水を流入させることができる。
【００３２】
さらに、水田用水位調整枡１０をなす箱体の内部には、取り入れ口１を含む取り入れ室１Ａと、排水口２を含む排水室２Ａとを仕切る水位調整板６が上下方向に移動可能となるように配置されている。
【００３３】
水位調整板６は、略矩形状の平板で構成され、その一端部には、水位調整板６を上下方向に移動する際に用いる把持部６１が固定されている。
【００３４】
水田用水位調整枡１０をなす箱体の底面１３及び側面１４，１５には、上部が開口した箱状で、その箱内部の幅寸法は水位調整板６の厚みと略同一寸法となっている支持部材７が固定されている。そして、水位調整板６は、その把持部６１が設けられた端部とは反対側の端部及び両側面が、支持部材７の内部に収納された状態で支持されている。これにより、支持部材７の内部で水位調整板６を上下方向に移動し、且つ、所定位置で固定できるようになっている。
【００３５】
ここで、この水位調整板６を、図３（ａ）に示すように、上方に引っ張り上げて、水位調整板６の上端部の位置を上方に位置させることで、水位調整板６の高さを高くすることができ、図３（ｂ）に示すように、下方に押し下げて、水位調整板６の上端部の位置を下方に位置させることで、水位調整板６の高さを低くすることができる。
【００３６】
以下、上記構成の水田用水位調整枡１０の一使用例を、図４を参照しながら説明する。
図４は、本考案に係る水田用水位調整枡の一使用例を示す断面図である。
【００３７】
まず、上述した構成の水田用水位調整枡１０の取り入れ口１が塞がれるように堰板４を位置させた状態で、取り入れ口１が水田の端部に接し、且つ、水田の深さ方向下方に位置するように水田用水位調整枡１０を水田の畦に設置する。
【００３８】
次に、水田用水位調整枡１０の堰板４を上方に引き上げて、堰板４に設けられた開口部４１を取り入れ口１と重なる位置で固定する。
【００３９】
これにより、取り入れ口１が開き、水田からの灌漑用水が取り入れ口１を介して、水田用水位調整枡１０の内部に取り入れられ、この灌漑用水は、まず、図４（ａ）に示すように、取り入れ室１Ａの内部で、取り入れ室１Ａと排水室２Ａとを仕切る水位調整板６の高さまで溜められる。
【００４０】
次に、取り入れ室１Ａの内部で溜められた灌漑用水の水位が水位調整板６の高さまで至ると、図４（ｂ）に示すように、灌漑用水が水位調整板６を乗り越えて排水室２Ａまで流れ、排水室２Ａの内部で、排水口２の高さまで溜められる。
【００４１】
そして、排水室２Ａの内部で排水口２の高さに至るまで溜められた灌漑用水は、排水口２を介して排水管３に排水されるようになっている。
【００４２】
ここで、本考案に係る水田用水位調整枡において、取り入れ口１から取り入れ、排出口２から排出する灌漑用水の流量を調整し、排水効率を向上させるためには、開口部４１と取り入れ口１とが重なる部分の面積を調整すればよい。例えば、水田用水位調整枡１０の内部に取り入れる灌漑用水の流量が多い場合には、堰板４の開口部４１を全て取り入れ口１と重なるように設置すればよいし、一方、取り入れる灌漑用水の流量が少ない場合には、堰板４の開口部４１の一部のみを取り入れ口１と重なるように設置すればよい。
【００４３】
また、取り入れ口１から取り入れ、排出口２から排出する灌漑用水の流量を調整し、排水効率を向上させるためには、取り入れ室１Ａと排水室２Ａとの間を仕切る水位調整板６の高さを調整すればよい。
例えば、水田用水位調整枡１０の内部に取り入れる灌漑用水の流量が多い場合には、灌漑用水に含まれる土壌成分を確実に沈殿させるまで時間がかかるため、水位調整板６の高さを高くして、灌漑用水が取り入れ室１Ａの内部で留まる時間を長くすることが好ましい。一方、灌漑用水の流量が少ない場合には、灌漑用水に含まれる土壌成分を確実に沈殿させる時間が少なくてすむため、水位調整板６の高さを低くして、灌漑用水が取り入れ室１Ａの内部で留まる時間を短くすることが好ましい。  
【００４４】
本考案に係る水田用水位調整枡１０によれば、水田から水田用水位調整枡１０の内部に取り入れられ、排水口２から排水される灌漑用水の流量を、堰板４と水位調整板６との二箇所で制御することができるため、水田に必要な水位を効率よく調製することができる。
【００４５】
また、本考案に係る水田用水位調整枡１０によれば、その取り入れ口１が水田の深さ方向下方に位置するように設置したことにより、塵等の浮遊物Ｄがほとんど存在しない深部の灌漑用水を水田用水位調整枡１０の内部に取り入れることができる。
さらにまた、本考案に係る水田用水位調整枡１０によれば、堰板４に設けられた開口部４１に網状部材４２を取り付けたことにより、灌漑用水が開口部４１を通過する際に、灌漑用水に含まれる塵等の浮遊物Ｄを網状部材４２で除去することができる。
よって、灌漑用水は、浮遊物Ｄを含まない状態で水田用水位調整枡１０の内部に取り入れることができるため、浮遊物Ｄを含まない状態で灌漑用水を排水することができる。
【００４６】
さらに、本考案に係る水田用水位調整枡１０によれば、排水口２を、水田用水位調整枡１０の側面１２であって、底面１３よりも高い位置に設けたことにより、取り入れ室１Ａの内部で水位調整板６の高さまで溜まる間と、排水室２Ｂの内部で排水口２の高さまで溜まる間との二段階において、灌漑用水に含まれる土壌成分を沈殿物Ｓとして沈殿させることができるため、土壌成分を含まない状態で灌漑用水を排水することができる。
【００４７】
なお、本実施形態の水田用水位調整枡１０においては、水田用水位調整枡１０の一側面１１に設ける取り入れ口１や堰板４に設ける開口部４１を略矩形状に形成した場合について説明したが、取り入れ口１や堰板４の形状はこれに限らず、例えば、略円形状としてもよい。
【００４８】
また、本実施形態の水田用水位調整枡１０においては、堰板４を箱体に対して上下方向に移動可能となるように設けた場合について説明したが、堰板４の移動方向はこれに限らず、例えば、堰板４を箱体に対して水平方向に移動可能となるように設けてもよい。
【００４９】
さらに、本実施形態の水田用水位調整枡１０においては、水位調整板６を箱体の内部に固定した箱状の支持部材７で支持し、水位調整板６を上下方向に移動させることで、水位調整板６の高さを調整する場合について説明したが、水位調整板６の高さを調整する手段はこれに限らない。例えば、高さの異なる複数の水位調整板６を用意しておき、必要に応じて、水位調整板６を交換するようにしてもよい。この場合、水位調整板６の底面を箱体の底面１３に着くように位置させるのであれば、箱体の内部に設けられる支持部材７は水位調整板６の両側面のみを固定するように構成することができる。
【００５０】
さらに、本実施形態の水田用水位調整枡１０においては、水田用水位調整枡１０を、略矩形体状の箱体で構成した場合について説明したが、水田用水位調整枡１０をなす箱体の形状はこれに限らず、水田用水位調整枡１０を設置する場所に応じて適宜変更可能である。例えば、水田用水位調整枡１０をなす箱体を、略円柱体状の箱体で構成してもよい。
【００５１】
さらに、本実施形態の水田用水位調整枡１０においては、水田用水位調整枡１０をなす箱体の側面１２に排水口２を設けた場合について説明したが、排水口２の位置はこれに限らず、例えば、水田用水位調整枡１０の底面１３に排水口２を設けてもよい。但し、灌漑用水を効率よく排水するためには、排水口２を取り付け口１が設けられた側面１１に対向する側面１２に設けることが好ましい。
【００５２】
さらに、本実施形態の水田用水位調整枡１０においては、堰板４に設けられた開口部４１に網状部材４２を取り付けた場合について説明したが、箱体に設けられた取り入れ口１が水田の深さ方向下方に位置するように設置する場合には、取り入れ口１から塵等の浮遊物がほとんど存在しない深部の灌漑用水を取り入れることが可能となるため、堰板４に設けられた開口部４１に網状部材４２を必ずしも取り付ける必要はない。
【００５３】
さらに、本実施形態の水田用水位調整枡１０においては、取り入れ室１Ａや排水室２Ａの内部に蓄積された沈殿物Ｓを効率よく除去するために、図５に示すように、取り入れ室１Ａ及び排水室２Ａの内部に、把持部８１が取り付けられた沈殿物用受け皿８を設置するようにしてもよい。
【図面の簡単な説明】
【００５４】
【図１】本考案に係る水田用水位調整枡の一構成例を示す分解斜視図である。
【図２】図1に示す水田用水位調整枡における堰板の動作を示す部分拡大断面図である。
【図３】図1に示す水田用水位調整枡における水位調整板の動作を示す部分拡大断面図である。
【図４】本考案に係る水田用水位調整枡の一使用例を示す拡大断面図である。
【図５】本考案に係る水田用水位調整枡の他の構成例を示す斜視図である。
【符号の説明】
【００５５】
１    取り入れ口
２    排水口
３    排水管
４    堰板
５    ガイドレール
６    水位調整板
７    支持部材
８    沈殿物用受け皿
１０    水田用水位調整枡
１１，１２，１４，１５    側面
１３    底面
４１    開口部
４２    網状部材
４３，６１，８１    把持部
１Ａ    取り入れ室
２Ａ    排水室
Ｄ    浮遊物
Ｓ    沈殿物
【図１】
0003125654.tif 000003
【図２】
0003125654.tif 000004
【図３】
0003125654.tif 000005
【図４】
0003125654.tif 000006
【図５】
0003125654.tif 000007